(57)【要約】高温充填作業及び低温殺菌／レトルト作業の両者における容器（１０）の使用を可能にしかつ同様な容器（１０）の効率的な垂直方向積重ねを可能とするブロー成型された容器（１０）である。このために、基部（１２）の或る一部分が、充填され密閉された容器（１０）内の圧力変動に応じて上向きに及び／又は下向きに撓むことができる。基部（１２）は、構造的には、不連続な座り用リング（３８）を形成している不連続に凹んだ外側環状壁（２８）及び撓みパネルとして機能する内側環状壁（４０）を持つ。内側環状壁（３０）は、座り用リング（３８）の上方の高さで伸びている複数の半径方向ウェブ（４６）に外向きに連結し、かつ抗反転用用の上向きに突き出ているドーム（４８）に内向きに連結する。好ましくは、同様な基部（１２、１２ａ）を有する容器（１０、１０ａ、１０ｂ）の垂直方向の積重ねを容易にするために、段付き部（５６）が、座り用リング（３８）の高さの上方で、外側環状壁（２８）の内向きの側面（３６）において半径方向内向きに伸びる。
2004526642.tif 000002
【特許請求の範囲】
【請求項１】
ブロー成型されたプラスチック容器（１０）用の多機能基部（１２）であって、
座り用リング（３８）を間に形成している外側部分（３４）と内側部分（３６）とを有する不連続に凹んだ外側環状壁（２８）、
前記外側環状壁（２８）の前記内側部分（３６）から内向きかつ上向きに伸びている内側環状壁（４０）であって、内周（４４）と外周（４２）とを有し、前記外周（４２）が前記座り用リング（３８）の上方の高さで外向きに伸びている複数の半径方向ウェブ（４６）を持っている前記内側環状壁（４０）、及び
前記内側環状壁（４０）の前記内周から上向きに突き出ている抗反転用ドーム（４８）を具備し、これにより、前記内側環状壁（４０）が、座り用リング（３８）の高さより下方の望ましくない永久変形を受けることなく、容器（１０）内の圧力の変動に応じて上向き及び下向きに撓むことができる多機能基部（１２）。
【請求項２】
同様な基部（１２、１２ａ）を有する容器（１０ａ，１０ｂ）の垂直方向積重ねを容易にするために、前記座り用リング（３８）の高さの上方で前記外側環状壁（２８）の前記内側部分（３６）上で半径方向内向きに伸びている段付き部（５６）を更に備える請求項１による多機能基部（１２）。
【請求項３】
前記内側環状壁（４０）が、形成されたときの状態において、前記座り用リング（３８）を通って伸びている水平面（Ｐ）に関して約５゜から約６゜の範囲内の角度（Ａ）で上向きに傾く請求項１による多機能基部（１２）。
【請求項４】
前記抗反転用ドーム（４８）が、円錐状の下方部分（５２）と凸の上方部分（５４）とを有する請求項１による多機能基部（１２）。
【請求項５】
前記外側環状壁（２８）から上向きに伸びてる薄壁のボデー（１４）であって、前記ボデー（１４）の上端（１８）にブローされた広口のネジ付き端部（１６）を有する前記薄壁のボデー（１４）を更に備える請求項１による多機能基部（１２）。
【請求項６】
前記抗反転用ドーム（４８）を前記内側環状壁（４０）の前記内周（４４）に連結している環状ヒンジ（５０）を更に備える請求項１による多機能基部（１２）。
【請求項７】
前記基部（１２）がＰＥＴで作られる請求項１による多機能基部（１２）。
【請求項８】
前記座り用リング（３８）が約９１．４ｍｍ（約３．６インチ）の直径を有し、前記内側環状壁（４０）の前記内周（４４）が約４０．６ｍｍ（約１．６インチ）であり、そして前記内側環状壁（４０）の前記外周（４２）が約５５．９ｍｍ（約２．２インチ）である請求項１による多機能基部（１２）。
【請求項９】
前記半径方向ウェブ（４６）が、一様な間隔で離されかつ前記外側環状壁（２８）を各が少なくも約０．８ラジアンのセグメント（３０）に分離する請求項１による多機能基部（１２）。
【請求項１０】
円形の基部（１２）、前記基部（１２）から突き出ている円筒状の側壁（１４）、及び前記基部（１２）とは反対側のネジの作られた端部（１６）を有するブロー成型されたプラスチックボデー
を備え、
前記基部（１２）が、容器の座り面（３８）を間に形成している外側部分（３４）と内側部分（３６）とのある不連続に凹んだ外側環状壁（２８）を有し、前記外側部分（３４）は前記側壁（１４）に連結しており、
前記基部（１２）が前記外側環状壁（２８）の前記内側部分（３６）から内向きに伸びている内側環状壁（４０）を有し、前記内側環状壁（４０）は内周（４４）と外周（４２）とを有し、前記外周（４２）は前記容器座り面（３８）の上方の高さで伸びかつ前記側壁（１４）に連結する複数の半径方向ウェブ（４６）に連結しており、
前記基部（１２）が前記内側環状壁（４０）の前記内周（４４）から上向きに突き出ている抗反転用ドーム（４８）を持ち、更に
前記基部（１２）の前記内側環状壁（４０）が、容器（１０）内の圧力の変動に応じて、望ましくない永久変形を受けることなしに上向き及び下向きに撓む
容器（１０）。
【請求項１１】
同様な基部（１２、１２ａ）を有する容器（１０ａ、１０ｂ）の垂直方向の積重ねを容易にするために、前記外側環状壁（２８）の前記内側部分（３４）が前記容器座り面（３８）の高さの上方でこれに形成された支持用リッジ（５６）を有する請求項１０による容器（１０）。
【請求項１２】
前記端部（１６）を密閉するためのキャップ（６２）を更に備え、前記キャップ（６２）は外側の縁（５８）のある上面（６０）を有し、更に前記キャップ（６２）の前記外側の縁（５８）は、垂直方向の積重ねを容易にするために同様な基部（１２、１２ａ）を有する容器（１０ａ、１０ｂ）に形成された前記支持用のリッジ（５６）と組み合うことができる請求項１１による容器（１０）。
【請求項１３】
前記円筒状の側壁（１４）が、長手方向で間隔を空けられた複数の円周方向の強化用の溝（２６）を有しかつ上下のラベル当たり（２０、２２）により外形線が定められた円筒状のラベルパネル（２４）を提供する請求項１２による容器（１０）。
【請求項１４】
前記上方ラベル当たり（２０）が、前記側壁（１４）を前記端部（１６）に連結する肩（１８）により形成される請求項１３による容器（１０）。
【請求項１５】
前記内側環状壁（４０）が、形成されたときの状態において、前記容器支持面（３８）を通って伸びている水平面（Ｐ）に関して約５゜から約６゜の範囲内の角度（Ａ）で上向きに傾く請求項１４による容器（１０）。
【請求項１６】
前記抗反転用ドーム（４８）が、円錐状の下方部分（５２）と凸の上方部分（５４）とを有する請求項１５による容器（１０）。
【請求項１７】
前記抗反転用ドーム（４８）を前記内側環状壁（４０）の前記内周（４４）に連結している環状ヒンジ（５０）を更に備える請求項１６による容器（１０）。
【請求項１８】
前記ボデー（１２、１４、１６、１８）がＰＥＴで作られる請求項１７による容器（１０）。
【請求項１９】
前記基部（１２）の前記不連続の外側環状壁（２８）が、等間隔に離された４個の同様な弧状の支持部（３０）を形成する請求項１８による容器（１０）。
【請求項２０】
各弧状支持部（３０）の前記弧の大きさが各半径方向ウェブ（４６）の弧の大きさより大きい請求項１９による容器（１０）。
【発明の詳細な説明】
【技術分野】
【０００１】
本発明はブロー成型されたプラスチック広口容器用の基部に関し、より特別には、本発明は高温充填、並びに低温殺菌／レトルト処理における容器の使用を可能とする多機能基部構造に関する。
【背景技術】
【０００２】
ブロー成型されたプラスチック容器、特にＰＥＴから成型されたものが、高温充填用に使用されてきた。この場合、容器は、８２℃（１８０゜Ｆ）を越す温度に加熱された液体製品で満たされ、充填直後に蓋をされ、そして環境温度に冷やされる。ブロー成型されたプラスチック容器は、低温殺菌／レトルト作業にも利用され、この場合は、充填され密閉された容器は、これが熱処理を受け、次いで環境温度に冷却されることを許す。いずれの場合も、密閉容器の内容物が加熱され及び／又は内容物が密閉容器内で冷えたとき、容器内の体積の変化を受け入れるために、容器には真空吸収パネルが設けられることが普通である。
【０００３】
グラハム・パッケージング・カンパニイ・エルピー（Ｇｒａｈａｍ  Ｐａｃｋａｇｉｎｇ  Ｃｏｍｐａｎｙ，Ｌ．Ｐ．）に譲渡された２０００年７月２７日に出願の特許文献１は、１対の撓みパネルのある側壁を有する高温充填可能でかつレトルト可能なプラスチック製のブロー成型された広口容器を明らかにする。上記の特許文献１は、特許文献２として公開された国際出願第ＰＣＴ／ＵＳ００／０５１１８号に対応する。
【０００４】
同様にグラハム・パッケージング・カンパニイ・エルピー（Ｇｒａｈａｍ  Ｐａｃｋａｇｉｎｇ  Ｃｏｍｐａｎｙ，Ｌ．Ｐ．）に譲渡された特許文献３は、新規な基部を有する低温殺菌可能な広口容器を明らかにする。
【０００５】
パネル化された側壁を有するその他のプラスチック広口容器が、プレボット（Ｐｒｅｖｏｔ）他の特許文献４、ウイーバー・ジュニア（Ｗｅａｖｅｒ，Ｊｒ．）の特許文献５、ライグナー（Ｌｅｉｇｎｅｒ）の特許文献６に明らかにされる。パネル化された側壁と細首端部とを有する低温殺菌可能なプラスチック容器がクリシュナクマー（Ｋｒｉｓｈｎａｋｕｍａｒ）他の特許文献７により明らかにされる。
【０００６】
非パネル化側壁と曲がり得る端部壁構造とを有する容器が、マック・ヘンリー（ＭｃＨｅｎｒｙ）他の特許文献８、特許文献９、及び特許文献１０、ガイギャックス（Ｇｙｇａｘ）他の特許文献１１、ジョナス（Ｊｏｎａｓ）他の特許文献１２、カーニー（Ｃｅｒｎｙ）他の特許文献１３、ボスチ（Ｖｏｓｔｉ）他の特許文献１４、並びにブランチャード（Ｂｌａｎｃｈａｒｄ）の特許文献１５に明らかにされる。上に引用された特許文献は、種々の基部構造を有する容器を明らかにする。
【０００７】
いわゆる足付き基部の構造が、ヨシノ（Ｙｏｓｈｉｎｏ）他の特許文献１６，ピーター（Ｐｅｔｒｅ）他の特許文献１７、カルミチェール（Ｃａｒｍｉｃｈａｅｌ）の特許文献１８，スナイダー（Ｓｎｙｄｅｒ）他の特許文献１９、ブルンソン（Ｂｒｕｎｓｏｎ）他の特許文献２０、アルバーギニ（Ａｌｂｅｒｇｈｉｎｉ）他の特許文献２１、ダス（Ｄａｓ）の特許文献２２、パワーズ（Ｐｏｗｅｒｓ）他の特許文献２３，特許文献２４、及び特許文献２５、並びにスラット（Ｓｌａｔ）の特許文献２６に、一般に明らかにされる。
【０００８】
デチェンネ（Ｄｅｃｈｅｎｎｅ）他の特許文献２７は、僅かに傾けられた環状面と中央の円錐状突起とを有する基部を明らかとし、ギャラー（Ｇａｌｅｒ）の特許文献２８は同様なドラムの蓋により効率的に積み重ねるように設計された基部を有するブロー成型されたプラスチックドラムを明らかにする。
【０００９】
上に引用された容器及び基部の構造は、それぞれの意図された目的に対しては満足に機能するが、種々の粘性食料品及びその他の食料品の包装用に特に適した広口のブロー成型されたプラスチック容器、及び容器を高温充填及び低温殺菌処理に利用可能とする新規な基部の構造を有するものに対する要求がある。基部の構造は、低温殺菌中に受ける内圧の上昇を受け入れることができ、温度の低下中に密閉容器内に形成される真空を受け入れることができ、望ましくない反転又は同様な変形に抵抗することができ、更に同様な容器との効率的な積重ねが可能でなければならない。
【特許文献１】
米国特許出願公開第０９／６０１，０８８号明細書
【特許文献２】
国際公開第００／０５１１８号パンフレット
【特許文献３】
国際出願第ＰＣＴ／ＵＳ００／３１８３４号明細書
【特許文献４】
米国特許第５，８８７，７３９号明細書
【特許文献５】
米国特許第５，２６１，５４４号明細書
【特許文献６】
米国特許第５，０９２，４７４号明細書
【特許文献７】
米国特許第５，９０８，１２８号明細書
【特許文献８】
米国特許第４，６４２，９６８号明細書
【特許文献９】
米国特許第４，６６７，４５４号明細書
【特許文献１０】
米国特許第４，８８０，１２９号明細書
【特許文献１１】
米国特許第５，２１７，７３７号明細書
【特許文献１２】
米国特許第５，２３４，１２６号明細書
【特許文献１３】
米国特許第４，３８１，０６１号明細書
【特許文献１４】
米国特許第４，１２５，６３２号明細書
【特許文献１５】
米国特許第３，４０９，１６７号明細書
【特許文献１６】
米国特許第４，３５５，７２８号明細書
【特許文献１７】
米国特許第５，７１３，４８０号明細書
【特許文献１８】
米国特許第３，７２７，７８３号明細書
【特許文献１９】
米国特許第４，３１８，４８９号明細書
【特許文献２０】
米国特許第５，１３３，４６８号明細書
【特許文献２１】
米国特許第５，０２４，３４０号明細書
【特許文献２２】
米国特許第３，９３５，９５５号明細書
【特許文献２３】
米国特許第４，８９２，２０５号明細書
【特許文献２４】
米国特許第４，８６７，３２３号明細書
【特許文献２５】
米国再発行特許発明第３５，１４０号明細書
【特許文献２６】
米国特許第５，７８５，１９７号明細書
【特許文献２７】
米国特許第４，３２１，４８３号明細書
【特許文献２８】
米国特許第４，３８６，７０１号明細書
【発明の開示】
【本発明が解決しようとする課題】
【００１０】
以上に鑑み、本発明の第１の目的は、流動性、粘性及び固形の食料品の包装のための高温充填、並びに低温殺菌、又はレトルトの用途に使用し得る市場的に満足な広口のブロー成型容器を提供することである。
【００１１】
本発明の別の目的は、密閉された容器が熱処理を受けたときの容器の内部圧力の上昇を受け入れ、更に温度の低下中の真空を受け入れ得る基部構造を提供することである。
【００１２】
本発明のなお別の目的は、内部圧力及び体積の変化を受け入れかつ望ましくない反転及びその他の変形に耐える基部を有する高温充填可能でかつ低温殺菌可能な容器を提供することである。
【００１３】
本発明の更なる目的は、同様な容器と互いに縦方向で効率的な積重ねができ、かつ高速製造設備の手段により一貫した品質と性能とを確保する経済的な方法で製造し得る広口プラスチック容器のための構造を提供することである。
【課題を解決するための最良の手段】
【００１４】
より特別には、本発明は、ブロー成型されたプラスチック容器のための多機能基部を提供する。基部は、座り用リングを間に形成している外側部分と内側部分とを有する不連続に凹んだ外側環状壁を持つ。基部は、外側環状壁の内側部分から内向きかつ上向きに伸び更に内周と外周とを有する内側壁を持つ。内側環状壁の外周は、座り用リングの上方の高さにおいて外向きに伸びている複数の半径方向ウェブ、及び反転防止用の上向きに突き出ているドームに連絡する内側環状壁の内周を持つ。内側環状壁は、充填され密閉された容器内の圧力の変動に応じて、望ましくない永久変形を受けることなしに、機能的に、上向き及び下向きに撓むことができるであろう。加えて、好ましくは、同様な基部を有する容器の垂直方向の積重ねを容易にするために、座り用リングの高さの上方で、外側環状壁の内側部分における段付き部が半径方向内向きに伸びる。
【発明を実施するための最良の形態】
【００１５】
本発明は、食料品包装用のジャーとしての使用に特に適した容器１０を提供する。例えば、容器１０は、これを、アップルソース、スパゲッティソース、付け合わせ、ザウエルクラウト、ベビーフード、及び同等品のような流動性又は半流動性食料品の包装用に使用することができる。また、ピクルスのような塩水中に浮遊させた固形食料品の包装にも使用できる。そこで、容器１０は、種々の食料品の包装に利用できかつ説明されるように種々の充填及び処理作業に耐えることができる。
【００１６】
本発明の一実施例においては、図１に示されるように、基部１２、実質的に円筒状の側壁１４、及び側壁１４の上方端部から肩１８を経て突き出ていてネジの作られた広口の端部１６を有する容器１０が提供される。好ましくは、上下のラベル当たり２０及び２２が、図示のように、それぞれ肩１４及び基部１２に隣接して置かれ、そして側壁１４上の実質的に円筒状のラベル区域２４の外側線を定める。従って、ラベル（図示せず）は、これを、容器側壁１４に取り付けてこの周りで完全に伸ばすことができる。更に、側壁１４は好ましくは一連の円周方向の溝２６を有し、これらは側壁１４の円筒の形状を強化させ、側壁１４のパネリング（ｐａｎｅｌｉｎｇ）、凹み及びその他の望ましくない変形に抵抗する。
【００１７】
容器１０は、高温充填、並びに低温殺菌／レトルト処理に使用し得るため多機能である。この目的を達成するために、基部１２は、低温殺菌／レトルト処理中に受けた容器の内部圧力の上昇を受け入れることができ、かつ高温充填され又は低温殺菌／レトルト処理された後の充填され密閉された容器の冷却の際に受ける容器容量の減少を受け入れることができる構造を持つ。このために、基部１２は、充填され密閉された容器内の圧力が上昇したとき、管理された方法でかつ望まれる量だけ下方に撓み、また充填され密閉された容器内で真空が発生したときは管理された方法でかつ望まれる量だけ上向きに撓む。
【００１８】
基部１２は、構造的には、不連続に凹んだ外側環状壁２８を有し、この壁は、基部１２の外周３２に隣接している間隔の空けられた複数の弧状支持部３０を提供する。図示のように、この好ましい実施例においては４個の支持部３０が使用されるが、３個、５個或いはそれ以上の支持部３０を利用することもできる。各支持部３０は、説明されるであろうように、下方ラベル当たり２２に向かって上向きに伸びる外側壁部分３４、及び残りの基部構造内に上向きかつ内向きに伸びる内側壁部分３６を持つ。外側壁部分３４と内側壁部分３６との各連結部に座面３８が形成され、これにより容器１０の不連続な支持リングが形成される。
【００１９】
内側環状壁４０が、不連続に凹んだ外側環状壁２８内で伸びかつ水平方向に関して僅かに傾けられることが好ましい。傾斜した内側環状壁４０は、これがその外周４２からその内周４４に伸びるとき水平方向に関して角度Ａで上向きかつ内向きに伸びることが好ましい。例えば、内側環状壁４０は、座面３８を通って伸びている水平面Ｐに関して約５゜から約６゜の範囲内で傾くことができる。或いは、内側環状壁４０は、実質的に平面でかつ座面３８を通って伸びている水平面Ｐと平行に形成することができる。
【００２０】
内側環状壁４０の外周４２は、支持部３０の各の内側壁部分３６に移行し、かつ間隔を空けられて水平方向に配置された複数の半径方向ウェブ４６は、基部１２の外周３２に隣接して置かれる。ウェブ４６の各は、支持部３０の間を伸び、そして座面３８を通って伸びている水平面Ｐの上方の高さで容器側壁１４に連結する。内側環状壁４０の内周４４は、容器１０内に上向きに突き出る抗反転用ドーム（ａｎｔｉ−ｉｎｖｅｒｔｉｎｇ  ｄｏｍｅ）４８に移行する。内側環状壁４０と抗反転用ドーム４８とは、環状ヒンジ５０を経て移行することが好ましい。図４に示されるように、抗反転用ドーム４８は、ヒンジ５０に隣接した円錐状の下方部分５２と凸の上方部分５４とを持つ。
【００２１】
内側環状壁４０は撓みパネルとして機能する。このために、充填され密閉された容器内の内圧が上昇すると、内側環状壁４０は、増加した圧力を受け入れるように図４の鎖線Ｂで示されるように下向きに撓み、容器１０の側壁１４が望ましくない永久変形を被ることを防止する。更に、内側環状壁４０は、高温充填され蓋をされた容器又は充填され蓋をされ更に実質的に低温殺菌された容器が周囲温度に冷やされるときの真空を軽減するように上向きに撓む。これは、図４に鎖線Ｃで示される。従って、密閉された容器及び内容物が周囲温度に冷却されたとき、側壁１４は実質的に円筒形であってその形成されたときの形状から変化せず、そして巻かれたラベルを、望ましくない空隙又はラベル下側の空隙なしにきちんと支持することができる。加えて、側壁１４が長円化に抵抗し、基部１２は、揺れ又は同様な現象を受けない水平な座面を提供する。
【００２２】
抗反転用ドーム４８、支持部３０、及び半径方向ウェブ４６が内側環状壁４０を支持し、これが鎖線Ｂ及びＣで示されたような動きの希望範囲内においてのみ撓むことを許す。例えば、内側環状壁４０は容器内の圧力の上昇のため下向きに撓むが、内側環状壁４０とともに移動する抗反転用ドーム４８により完全な反転及び破壊が防がれ、そして容器内に生じた内圧とは関係なしに一定形状を実質的に維持する。
【００２３】
本発明の基部１２の別の特徴は、弧状支持部３０の各内側壁部分３６が、ここに形成されかつ同様な容器１０の垂直方向の積重ねを容易にするために支持面３８と内側環状壁４０との両者から高さ方向で間隔を空けられた弧状の段付き部又は支持リッジ５６を持つことである。例えば、図５に示されるように、上側の容器１０ａが下側の容器１０ｂの上に積み重ねられる。上側の容器１０ａの基部１２ａの支持リッジ５６は、下側の容器１０ｂの蓋６２の上面６０の外側の縁５８の上に座り、上側の容器１０ａの座面３８ａを通って伸びている平面Ｐａは、下側の容器１０ｂの蓋６２の上面６０の下方で或る間隔を空けて伸びる。
【００２４】
例として、限定するものではないが、本発明による容器１０は、約１４７．３ｍｍ（５．８インチ）の高さＨ、約１０６．７ｍｍ（約４．２インチ）の容器外径Ｄを有し、かつ約９０７．６ｃｍ３（約３２液量オンス）の容量を有することが好ましい。座面３８により形成される不連続な座り用リングは、約９１．４ｍｍ（約３．６インチ）の直径を有し、基部１２の内側環状壁４０は、直径が約４０．６ｍｍ（約１．６インチ）の内周と直径が約５５．９ｍｍ（約２．２インチ）の外周４２とを持つ。半径方向ウェブ４６は一様に間隔を空けられ、かつ好ましくは各支持部３０が少なくも約０．８ラジアンであるように各支持具３０を分離する。加えて、各支持部３０は、各半径方向ウェブ４６より僅かに大きい弧の大きさを持つ。
【００２５】
好ましくは、容器１０は、ＰＥＴ、ＰＥＮ又はこれらの混合物から作られた射出成型されたプリフォームからブロー成型され、或いはＰＰの押出ブロー成型である。加えて、容器１０は、ガスバリヤー材の層又はスクラップ材の層を含んだ多層とすることができる。好ましくは、容器の端部１６は、以上形成された収容設備構造からネジが作られ、ブロー成型され、更に切断される。
【００２６】
上述の容器１０は、９６．１℃（２０５゜Ｆ）までの充填温度を有する高温充填作業の使用を可能とする。また、ピクルスのような低温の固定製品が容器１０内で４８．９℃（１２０゜Ｆ）から６０℃（１４０゜Ｆ）で中等に加熱された塩水と混合される低温殺菌処理にも利用可能である。容器１０に蓋をした後で、充填され密閉された容器が周囲温度に冷却されるより前に１５分間、密閉された容器内の固形製品が、約７９．４℃（１７５゜Ｆ）に加熱されるように、充填された容器を約１００℃（２１２゜Ｆ）の温度の低温殺菌タンクを通して処理することができる。
【００２７】
好ましい容器及び最良の構造が詳細に説明されたが、請求項に定められるように、本発明の精神及び範囲から離れることなく種々の変更、改変及び変化を行うことができる。
【図面の簡単な説明】
【００２８】
【図１】本発明を具体化した基部を有する容器の斜視図である。
【図２】図１に示された容器の立面図である。
【図３】図１に示された容器の底視図である。
【図４】図３の線４−４に沿って得られた基部の断面図である。
【図５】図２の線５−５に沿って得られた基部の断面図であり、積み重ねられた配列にある１対の容器を示す。
【国際公開パンフレット】
2004526642.tif 000003
2004526642.tif 000004
2004526642.tif 000005
2004526642.tif 000006
2004526642.tif 000007
2004526642.tif 000008
2004526642.tif 000009
2004526642.tif 000010
2004526642.tif 000011
2004526642.tif 000012
2004526642.tif 000013
2004526642.tif 000014
2004526642.tif 000015
2004526642.tif 000016
2004526642.tif 000017
2004526642.tif 000018
2004526642.tif 000019
2004526642.tif 000020
【国際調査報告】
2004526642.tif 000021